(57)【要約】【課題】  多値記録に好適な誤り訂正方法を提供する。【解決手段】  情報記録装置１は、セクター単位のユーザデータに、そのセクターアドレスを付加し、複数のユーザデータデータとセクターアドレスとを分離して配置してデータブロックを構成し、このデータブロック内のユーザデータデータを含むデータに対して積符号による誤り訂正用データを付加するように記録を行なう。【選択図】    図１１
2005259305.tif 000002
【特許請求の範囲】
【請求項１】
情報記録媒体に情報データを記録する情報記録方法において、
所定量単位の前記情報データに、そのアドレスデータを付加し、複数の前記情報データと前記アドレスデータとを分離して配置してデータブロックを構成し、
前記データブロック内の前記情報データを含むデータに対して積符号による誤り訂正用データを付加するように前記記録を行なう、
ことを特徴とする情報記録方法。
【請求項２】
前記積符号は、ｘビット（ｘ≧３である整数）を１ワードとするものであり、
ｘビットの２値データをｍ個（ｍ≧２である整数）のｎ値（ｎ≧３である整数）の多値データに変換して前記記録を行なう、
ことを特徴とする請求項１に記載の情報記録方法。
【請求項３】
前記ｘは１１である、ことを特徴とする請求項２に記載の情報記録方法。
【請求項４】
前記複数個の所定量単位の情報データに１個の前記アドレスデータを付加する、ことを特徴とする請求項２に記載の情報記録方法。
【請求項５】
情報記録媒体に情報データを記録する情報記録装置において、
所定量単位の前記情報データに、そのアドレスデータを付加し、複数の前記情報データと前記アドレスデータとを分離して配置してデータブロックを構成し、
前記データブロック内の前記情報データを含むデータに対して積符号による誤り訂正用データを付加するように前記記録を行なう、
ことを特徴とする情報記録装置。
【請求項６】
前記積符号は、ｘビット（ｘ≧３である整数）を１ワードとするものであり、
ｘビットの２値データをｍ個（ｍ≧２である整数）のｎ値（ｎ≧３である整数）の多値データに変換して前記記録を行なう、
ことを特徴とする請求項５に記載の情報記録装置。
【請求項７】
前記ｘは１１である、ことを特徴とする請求項６に記載の情報記録装置。
【請求項８】
前記複数個の所定量単位の情報データに１個の前記アドレスデータを付加する、ことを特徴とする請求項６に記載の情報記録装置。
【請求項９】
情報データが記録された情報記録媒体において、
所定量単位の前記情報データに、そのアドレスデータを付加し、複数の前記情報データと前記アドレスデータとを分離して配置してデータブロックを構成し、
前記データブロック内の前記情報データを含むデータに対して積符号による誤り訂正用データを付加するように前記記録がされている、
ことを特徴とする情報記録媒体。
【請求項１０】
前記積符号は、ｘビット（ｘ≧３である整数）を１ワードとするものであり、
ｘビットの２値データをｍ個（ｍ≧２である整数）のｎ値（ｎ≧３である整数）の多値データに変換して前記記録がされている、
ことを特徴とする請求項９に記載の情報記録媒体。
【請求項１１】
前記ｘは１１である、ことを特徴とする請求項１０に記載の情報記録媒体。
【請求項１２】
前記複数個の所定量単位の情報データに１個の前記アドレスデータが付加されている、ことを特徴とする請求項１０に記載の情報記録媒体。
【発明の詳細な説明】
【技術分野】
【０００１】
本発明は、光などにより情報を記録する情報記録方法、情報記録装置、及び情報記録媒体に関する。
【背景技術】
【０００２】
特許文献１には、ワード単位でのインターリーブによる複数ワード情報の符号化について開示されている。この技術では、ユーザーデータとアドレスデータとを別々に処理して、誤り訂正用データを付加し、光ディスクに記録する（同文献の図１９を参照）。ユーザーデータはＥＣＣクラスタとし、アドレスデータはＢＩＳクラスタとしている。このＥＣＣクラスタの誤り訂正方式は積符号ではなく、縦方向のデータ系列に誤り訂正用のデータ（パリティ）が付加されているのみである。この技術では、ＢＩＳクラスタによってアドレスを読取り、同時に横方向のエラーを検出する。そして、発生するエラーは全て横方向のバーストエラー（連続エラー）と仮定し、ＥＣＣクラスタにおけるエラーデータの位置情報としている。ＢＩＳクラスタによって得られたエラーデータの位置情報を利用して、ＥＣＣクラスタでの誤り訂正を行う。
【０００３】
【特許文献１】特表２００２−５２１７８９公報
【発明の開示】
【発明が解決しようとする課題】
【０００４】
しかしながら、特許文献１に開示の技術では、誤り訂正方式が積符号でないため、発生するエラーの傾向がランダム的である場合には適用できないという不具合がある。
【０００５】
本発明の目的は、多値記録に好適な誤り訂正方法を用い、特に、エラーの発生傾向がランダム的である場合の光ディスクシステムなどに好適である情報記録方法、情報記録装置及びその方法、装置で記録された情報記録媒体を提供することである。
【課題を解決するための手段】
【０００６】
本発明は、情報記録媒体に情報データを記録する情報記録方法において、所定量単位の前記情報データに、そのアドレスデータを付加し、複数の前記情報データと前記アドレスデータとを分離して配置してデータブロックを構成し、前記データブロック内の前記情報データを含むデータに対して積符号による誤り訂正用データを付加するように前記記録を行なう、ことを特徴とする情報記録方法である。
【０００７】
別の面から見た本発明は、情報記録媒体に情報データを記録する情報記録装置において、所定量単位の前記情報データに、そのアドレスデータを付加し、複数の前記情報データと前記アドレスデータとを分離して配置してデータブロックを構成し、前記データブロック内の前記情報データを含むデータに対して積符号による誤り訂正用データを付加するように前記記録を行なう、ことを特徴とする情報記録装置である。
【０００８】
別の面から見た本発明は、情報データが記録された情報記録媒体において、所定量単位の前記情報データに、そのアドレスデータを付加し、複数の前記情報データと前記アドレスデータとを分離して配置してデータブロックを構成し、前記データブロック内の前記情報データを含むデータに対して積符号による誤り訂正用データを付加するように前記記録がされている、ことを特徴とする情報記録媒体である。
【発明の効果】
【０００９】
本発明によれば、情報データとセクターアドレスなどのアドレスデータとを分離して配置してデータブロックを構成し、積符号による誤り訂正データを付加して記録を行っているので、エラーの発生傾向がランダム的である場合の光ディスクシステムなどによる情報記録に好適であり、アドレスデータの読取り処理を容易にできる。
【発明を実施するための最良の形態】
【００１０】
本発明を実施するための最良の一形態について説明する。
【００１１】
以下では、まず本発明の実施の形態である情報記録方法について説明する。
【００１２】
この情報記録方法は、光ディスクなどの情報記録媒体に情報の記録を行なう方法である。以下では、具体的に光ディスクへの記録を念頭において説明する。図１は、情報記録媒体に記録する２ＫＢ（＝２０４８バイト）単位のユーザーデータを含むセクターデータ（ａ）と、セクター単位のアドレスを示すアドレス情報（ｂ）のデータ構成を示す。
【００１３】
セクターデータは、ユーザーデータ、付加情報、ＥＤＣ（Error Detection Code）からなる。ユーザーデータは、２ＫＢの画像データや音声データ、コンピュータソフト等のコンテンツを構成するデータである。付加情報は、今後の拡張性及びユーザー情報、生産者情報、著作権保護などのユーザーデータに対する付加情報を示すデータである。ＥＤＣは、付加情報とユーザーデータに対して付加される誤り検出用データである。
【００１４】
アドレス情報は、光ディスク識別（ＩＤ：Identification Data）データ、セクターアドレス、アドレスＥＣＣ（Error Correction Code）からなる。光ディスク識別（ＩＤ）データは、ディスクが読出し専用か書換可能か、データの記録層が１層か多層か等の光ディスクを識別するための情報データである。セクターアドレスは２ＫＢ毎のユーザーデータに割当てられたディスク上のアドレスデータである。ここでは、２セクター単位にアドレス情報を付加するので、２セクターを代表するアドレスとして、偶数のセクターアドレスをアドレス情報とする。アドレスＥＣＣは、４バイトのアドレスデータに付加する誤り訂正用のデータである。
【００１５】
本例では、所定単位の情報データであるユーザーデータと、そのアドレスデータであるセクターアドレスとを分離して配置してデータブロックを構成するように、ディスクに記録する。
【００１６】
図２に、２セクター分のセクターデータと、これに対応するアドレス情報のデータ構成を示す。図２の左側のセクターデータのセクターアドレスを偶数アドレス、右側のセクターデータのセクターアドレスを奇数アドレスとする。例えば、左側のセクターデータのセクターアドレスを０とし、右側のセクターデータのセクターアドレスを１とする。この場合、アドレス情報におけるセクターアドレスは０である。
【００１７】
図２に示すデータ構成では、横１行分のデータは４６１バイトであるが、ユーザーデータを含むデータに対する誤り訂正は、右側の３３５ワードを対象とする。ここで、１ワードは１１ビットである。従って、横１行分のデータにおける誤り訂正の対象となるデータ量は、“３３５ワード＝１１ビット×３３５ワード＝３６８５ビット＝４６０バイト＋５ビット”である。
【００１８】
このため、アドレス情報（１バイト＝８ビット）の左側の３ビットは誤り訂正の対象外となる。アドレス情報は、それ自身にＥＣＣデータを含んでおり、光ディスク上のデータをサーチし、あるいは、誤り訂正ブロックを検出するためにアドレスを読取った後は、アドレス情報の誤り訂正は不要であるため、ユーザーデータを含む誤り訂正から除外しても問題は無い。
【００１９】
そして、１１ビットの２値データを４個の８値データに変調して、光ディスクに多値記録を行なう。従って、セクターデータの１行分が１１ビットからなるワードデータで構成されていると、多値データへの変換に都合が良い。
【００２０】
図３に、６４セクターのデータに対して、誤り訂正用のデータを付加したデータ構成を示す。まず、図３の縦方向に外符号パリティ（ＰＯ）を付加する。ＰＯは、リードソロモン符号ＲＳ（３０４，２８８,１７）を用いて生成する。その後、図３の横方向に内符号パリティ（ＰＩ）を付加する。ＰＩは、リードソロモン符号ＲＳ（３５１，３３５,１７）を用いて生成する。なお、図３では誤り訂正の対象外であるアドレス情報の左側３ビットのデータを示していない。
【００２１】
図４に、ＰＯデータ行をインターリーブした結果を示す。１６行のＰＯデータ行（各行に含まれるＰＩも含む）を４セクター（１８行）毎に１行挿入する。これにより、アドレス情報を含まない行が分散され、データをアクセスする時のアドレスの読取り効率が向上する。この図でも、誤り訂正の対象外であるアドレス情報の左側３ビットのデータを示していない。
【００２２】
図５に、インターリーブ後のデータの各行にアドレス情報を識別するためのデータ（左側の８ビット）を付加した結果を示す。図５では、誤り訂正の対象外であるアドレス情報の左側３ビットのデータも示している。４セクターと１行のＰＯからなる１８行のデータをひとまとまりとして扱い、５ビットからなる行番号と３ビットからなる１８行毎の区切りを判別するためのデータを付加した。
【００２３】
５ビットの行番号は、２セクター単位を検出するために、前半の９行は０〜８、後半の９行は１６〜２４にしている。ＰＯデータの行は３１（１１１１１）とし、他の行とは明確に区別できるようにしている。更に、ＰＯデータ行の誤り訂正の対象外となる３ビットのデータは、「１１１」の無効データを配置した。３ビットからなる１８行毎の区切りを判別するためのデータは、ＰＯデータの行は「１１１」とし、それ以外は「０００」とした。これにより、アドレス情報を含む行か否かの検出が容易になる。
【００２４】
横１行分のデータ量は、１ワードを１１ビットとして、３５２ワードになる。１１ビットのデータを１単位として、４個の８値データに変調して、光ディスクに多値記録する。データの記録再生は、図５中に示すように行方向に順次記録再生する。
【００２５】
光ディスク上のデータにアクセスする時は、まずセクターアドレスを読取る必要がある。アドレス情報を識別するためのデータの上位３ビットが「１１１」である行は、ＰＯデータ行であるためこれを無視する。アドレス情報を識別するためのデータの上位３ビットが「０００」である行を検出し、更に、次の５ビットの行番号を読取ることで、９行単位（２セクター分）のアドレス情報を読取れる。アドレス情報のＥＣＣデータを使用して誤り訂正を行った後、セクターアドレスを読取る。誤り訂正を行っているので、アドレスの値の信頼性は高い。
【００２６】
読取ったセクターアドレスから、積符号を構成するデータブロック内のどの行であるかを判別できるので、６４セクター分のデータ行（ＰＯデータ行を含む）を入力することで、積符号を構成するデータブロック（１ＥＣＣブロック）を半導体メモリ等の記憶装置に記憶する。その後、ＰＯデータ行がインターリーブされていることを考慮して、ＰＩ、ＰＯデータを使用して誤り訂正を行う。
【００２７】
この情報記録方法では、ユーザーデータとセクターアドレスとを分離して配置してデータブロックを構成するように、光ディスクなどの情報記録媒体に記録する。そのため、セクターアドレスの読取り処理が容易である。また、積符号による誤り訂正データを付加して多値記録を行っているので、エラーの発生傾向がランダム的である場合の光ディスクシステムなどに好適であり、セクターアドレスの読取り処理を容易にできる。
【００２８】
この場合、ｘビット（ｘ≧３である整数）を１ワードとする積符号による誤り訂正用データを付加し、ｘビットの２値データをｍ個（ｍ≧２である整数）のｎ値（ｎ≧３である整数）の多値データに変換して、情報記録媒体に記録することができる。これにより、誤り訂正の１ワードを、多値記録における２値データと多値データとの変換時の２値データのビット数に合わせることができるので、多値記録に適する。
【００２９】
更に、誤り訂正の１ワードを１１ビットとすれば、従来の多値記録に好適な誤り訂正のデータ構成にできる。
【００３０】
また、２個のセクターデータに対して１個のアドレス情報を付加しているので、冗長度の低いデータ構成にできる。
【００３１】
そのうえ、積符号における内符号訂正のデータ系列単位に、アドレスデータを識別するための情報を付加しているので、セクターアドレスの読取り処理を容易にできる。
【００３２】
別の実施の形態について説明する。
【００３３】
本実施の形態の情報記録方法は、光ディスクなどの情報記録媒体に情報の記録を行なう方法である。以下では、具体的に光ディスクへの記録を念頭において説明する。図６は、情報記録媒体に記録する２ＫＢ（＝２０４８バイト）単位のユーザーデータを含むセクターデータ（ａ）と、セクター単位のアドレスを示すアドレス情報（ｂ）のデータの種類とその量を示す説明図である。
【００３４】
セクターデータは、ユーザーデータ、付加情報、ＥＤＣからなる。アドレス情報は、ディスク識別（ＩＤ）データ、セクターアドレス、Reservedデータ、アドレスＥＣＣからなる。Reservedデータは、今後の拡張性を考慮した予備のデータである。ここでは、４セクター単位にアドレス情報を付加するので、４セクターを代表するアドレスとして、４の整数倍のセクターアドレスをアドレス情報とする。
【００３５】
本例では、所定単位の情報データであるユーザーデータと、そのアドレスデータであるセクターアドレスとを分離して配置してデータブロックを構成するように、ディスクに記録する。
【００３６】
図７に、セクターデータとアドレス情報のデータ構成を示す。１セクター分のデータは、１０バイト×２０６行で構成する。各データは図の縦方向に順に配置する。アドレス情報は、１バイト×１２行で構成する。
【００３７】
図８に、６４セクターのデータに対して、積符号を使用して誤り訂正用のデータを付加したデータ構成（１ＥＣＣブロック）を示す。このデータ構成では、横１行分のデータ量は、“８ビット＋１０バイト（８０ビット）×６４セクター＋１０ワード（１１０ビット）＝５２３８ビット”である。
【００３８】
ここで、１ワードは１１ビットである。この内、誤り訂正に関係するデータは、右側の５２３６ビット（４７６ワード）である。アドレス情報（１バイト＝８ビット）の左側の２ビットは誤り訂正の対象外となる。アドレス情報は、それ自信にＥＣＣデータを含んでおり、ディスク上のデータをサーチしたり、誤り訂正ブロックを検出するためにアドレスを読取った後は、アドレス情報の誤り訂正は不要であるため、ユーザーデータを含む誤り訂正から除外しても問題は無い。
【００３９】
誤り訂正用のデータの付加は次のようにして行う。まず、図の縦方向に外符号パリティ（ＰＯ）を付加する。ＰＯは、リードソロモン符号ＲＳ（２１８，２０６,１３）を用いて生成する。その後、図８の横方向に内符号パリティ（ＰＩ）を付加する。ＰＩは、リードソロモン符号RS（476,466,11）を用いて生成する。
【００４０】
アドレス情報は１２行で１まとまりになっている。４セクター単位に１個のアドレス情報があるので、６４セクターのデータに対しては、１６個のアドレス情報が１ＥＣＣブロックに存在する。これを２０６行に均等に配置するために、変則的に１バイトの無効データ（００００００００）を挿入している。挿入する無効データの個数（バイト数）は、“２０６−１２×１６＝１４”で示される。
【００４１】
一例として、１４個の無効データは２０６行（第０行〜第２０５行）の内の“１２、２５、３８、５１、７６、８９、１０２、１１５、１２８、１４１、１５４、１７９、１９２、２０５”の各行に配置する。
【００４２】
また、ＰＯデータ行における誤り訂正の対象外となる左側の２ビットには、無効データとして「１１」を配置している。
【００４３】
図９に、ＰＯデータ行をインターリーブした結果を示す。１２行のＰＯデータ行（各行に含まれるＰＩも含む）を２１８行内にほぼ均等に配置するために、やや変則的なインターリーブになる。ＰＯデータ行を配置する各行番号（第０行〜第２１７行）の一例を示すと、“１７、３５、５４、７２、９０、１０８、１２６、１４４、１６３、１８１、１９９、２１７”となる。
【００４４】
これにより、アドレス情報を含まない行が分散され、データをアクセスする時のアドレスの読取り効率が向上する。
【００４５】
図１０に、インターリーブ後のデータの各行にアドレス情報を識別するためのデータ（左側の９ビット）を付加した結果を示す。９ビットの内の左側８ビットで１ＥＣＣブロック内の行番号（０〜２１７）を示している。残りの１ビット（図１０ではＰと表記している）は、行番号の８ビットデータの各ビットの排他的論理和演算結果の１ビットデータである。これにより、付加した９ビットデータに誤りがあるか否かを検出できる。また、行番号は連続した数値であるので、複数行の行番号から正しい行番号の予測も可能である。
【００４６】
この行番号により、アドレス情報を含む行を判別し、更にアドレス情報内のアドレスＥＣＣデータによって誤り訂正を行う。訂正後のセクターアドレスを読取ることで、ディスク上のデータサーチやＥＣＣブロックの検出ができる。ＥＣＣブロック検出後は、ＰＯデータ行がインターリーブされている事を考慮して、ＰＩ、ＰＯデータを使用して誤り訂正を行う。
【００４７】
横１行分のデータ量は、１ワードを１１ビットとして、４７７ワードになる。１１ビットのデータを１単位として、４個の８値データに変調して、光ディスクに多値記録する。データの記録再生は、図中に示すように行方向に順次記録再生する。
【００４８】
この情報記録方法では、ユーザーデータとセクターアドレスとを分離して配置してデータブロックを構成するように、光ディスクなどの情報記録媒体に記録する。そのため、セクターアドレスの読取り処理が容易である。また、積符号による誤り訂正データを付加して多値記録を行っているので、エラーの発生傾向がランダム的である場合の光ディスクシステムなどに好適であり、セクターアドレスの読取り処理を容易にできる。
【００４９】
この場合、ｘビット（ｘ≧３である整数）を１ワードとする積符号による誤り訂正用データを付加し、ｘビットの２値データをｍ個（ｍ≧２である整数）のｎ値（ｎ≧３である整数）の多値データに変換して、情報記録媒体に記録することができる。これにより、誤り訂正の１ワードを、多値記録における２値データと多値データとの変換時の２値データのビット数に合わせることができるので、多値記録に適する。
【００５０】
更に、誤り訂正の１ワードを１１ビットにしているので、従来技術の多値記録に好適な誤り訂正のデータ構成にできる。
【００５１】
また、４個のセクターデータに対して１個のアドレス情報を付加しているので、冗長度の低いデータ構成にできる。
【００５２】
更に、積符号における内符号訂正のデータ系列単位に、アドレスデータを識別するための情報を付加しているので、セクターアドレスの読取り処理を容易にできる。
【００５３】
別の実施の形態について説明する。
【００５４】
この実施の形態は、前述の各情報記録方法を実施する情報記録装置である。図１１は、この情報記録装置１の概略構成を示す説明図であり、この情報記録装置１は、具体的には情報記録媒体である光ディスクＤに情報の記録を行なう装置である。
【００５５】
図１１において、光ディスクＤは、例えば、らせん状又は同心円状のトラックが形成され、トラックにそってマークを記録することができる。トラックは、一定の周期でわずかに蛇行している。
【００５６】
モーター２は、ディスクＤを回転駆動させる。光ヘッド３は、レーザー光スポットＬを照射して光ディスクＤにマークを記録し、記録されたマークをレーザー光スポットＬで走査して電気信号を出力する。
【００５７】
演算増幅回路４は、光ヘッド３から出力された電気信号を演算増幅し、光ディスクＤ上のマークに対応した再生信号や、レーザー光スポットＬが光ディスクＤの記録面に焦点が合っているかを示すフォーカスエラー信号や、レーザー光スポットＬがトラックにそって走査しているかを示すトラッキングエラー信号や、トラックの蛇行に対応した信号等を出力する。
【００５８】
サーボ回路５は、フォーカスエラー信号や、トラッキングエラー信号、トラックの蛇行に対応した信号により、レーザー光スポットＬを光ディスクＤの記録面に焦点を合わせ、正しくトラックを走査させ、光ディスクＤを線速度一定又は、角速度一定に回転させる。
【００５９】
レーザー駆動回路６は、変調回路７から出力された信号に従って、レーザー光スポットＬで光ディスクＤにマークを記録するための信号を出力する。
【００６０】
変調回路７は、入力した多値データに対応した大きさのマークとスペース（多値データ=０：マークを記録しない）を示す信号を出力する。同期信号付加回路８は、１行毎のデータに同期信号を挿入する。多値化回路９は、入力した２値データ（１１ビット）を多値データ（４シンボルの８値データ）に変換する。
【００６１】
誤り訂正用データ付加回路１０は、入力データに対し、誤り訂正を行なうためのデータを付加する。つまり、前述した情報記録方法により、データ処理を行う。
【００６２】
Ａ／Ｄ変換回路１１は、演算増幅回路４からの再生信号をデジタル信号に変換する。ＰＬＬ（Phase Locked Loop）および同期検出回路１２は、再生信号中の同期信号を検出し、多値データに同期したクロック信号を出力する。波形等化回路１３は、波形等化を行う。多値判定回路１４は、多値データを判定し、２値データを出力する。アドレス検出回路１５は、アドレス情報を識別するためのデータからセクターアドレスを読取り、積符号を構成するデータブロック（ＥＣＣブロック）を検出する。誤り訂正回路１６は、誤り訂正用データを用いて、誤り訂正を行なう。
【００６３】
なお、図示しないが、光ヘッド３を光ディスクＤの半径方向に移動させ、光ディスクＤ上のデータをサーチする機構も設けられている。更に、パソコンなどのコンピュータ用の情報記憶装置として使用するためのインターフェース回路や、光ディスク装置全体の動作制御を行うマイクロプロセッサ等は図示を省略した。光ディスクＤとしてはＤＶＤ＋ＲＷを使用し、光ヘッド３にはレーザー光の波長が６５０ｎｍであるレーザーダイオードなどを使用する。また、より高密度記録ができる青レーザーとそのレーザー波長（例えば、４０５ｎｍ）に対応した相変化型の光ディスクＤを使用しても良い。
【００６４】
以下に、情報記録装置１の動作を説明する。先ず、２値データを多値化して光ディスクＤに記録する場合の動作を説明する。まず、２値データを入力して、図１あるいは図６を参照して説明したように、２ＫＢのユーザーデータ毎に、付加情報データ、ＥＤＣデータを付加する。又、ディスク識別データ、セクターアドレスデータ、アドレスＥＣＣデータを生成する。そして、図３あるいは図８を参照して説明したように、６４セクター分のデータを１ワードが１１ビットのメモリ（誤り訂正用データ付加回路１０のメモリであり、図示省略）に入力する。
【００６５】
その後、リードソロモン符号の演算により、ＰＯとＰＩデータを生成して、メモリに入力する。図４に示すインターリーブの処理は、メモリから各行のデータを出力する時に、１８行毎にＰＯデータを含む１行分のデータを出力すれば良い。あるいは図９に示すインターリーブの処理は、メモリから各行のデータを出力する時に、所定の行番号を出力する時にＰＯデータを含む１行分のデータを出力すれば良い。このようにしてインターリーブして出力した１行毎のデータの先頭に、図５あるいは図１０に示すようなアドレス情報を識別するためのデータを付加する。以上の処理を行って、誤り訂正用データ付加回路から、図５あるいは図１０に示すデータを出力する。
【００６６】
その後、多値化回路９で１１ビット単位の２値データを４シンボルの８値データに変換する。次に、同期信号付加回路８で、１行毎のデータに同期信号を挿入する。そして、多値データの各値に対応したマークを光ディスクＤに記録するために、変調回路７でレーザーを駆動する信号を生成する。そして、光ヘッド３によりマークが光ディスクＤに記録される。
【００６７】
次に、光ディスクＤから多値信号を読み出して、多値判定を行い、２値データとして出力する場合の動作を説明する。光ヘッド３により、一定強度のレーザー光を光ディスクＤに照射し、その反射光を光電変換して電気信号を得る。得られた信号を演算増幅回路４に入力し、サーボ回路５により光ディスクを安定して回転させ、光ヘッド３のトラッキングやフォーカス制御を行い、多値信号を再生する。再生された多値信号から、ＰＬＬおよび同期検出回路１２にて同期信号を検出し、ＰＬＬ回路により多値データに同期したクロックを生成する。生成したクロックによってＡ／Ｄ変換回路１１で、多値データのデジタルデータを得る。その後、波形等化回路１３で波形等化を行い、多値判定回路１４で多値データを判定し、１１ビットを１ワードとする２値データを出力する。
【００６８】
ＰＬＬおよび同期検出回路１２で検出した同期信号を使用して、１行毎のデータをアドレス検出回路に入力する。アドレス検出回路１５では、まず、各行の先頭のアドレス情報を識別するためのデータを読取る。そして、前述の情報記録方法の説明で示した方法で、セクターアドレスを読取る。そして、セクターアドレスによって、積符号を構成するデータブロック（ＥＣＣブロック）を検出して出力する。誤り訂正回路１６では、１ワードが１１ビットのメモリ（誤り訂正回路中のメモリ。図示しない。）に、積符号を構成するデータブロックのデータを入力する。この時、１行の先頭のアドレス情報はメモリに入力せず、その後のデータを入力する。更に、ＰＯデータ行がインターリーブされているので、インターリーブを戻すために、図３あるいは図８に示すデータ構成となるようにアドレスを切換えて、データをメモリに入力する。その後、ＰＯ、ＰＩデータを使用して、誤りの検出と訂正を行い、訂正後の２値データを出力する。
【００６９】
以上の情報記録装置１では、ユーザーデータとセクターアドレスとを分離して配置してデータブロックを構成しているので、セクターアドレスの読取り処理が容易であり、積符号を使用しているので、エラーの発生傾向がランダム的である場合の光ディスクシステムに好適であり、誤り訂正の１ワードを、多値記録における２値データと多値データとの変換時の２値データのビット数に合わせているので、多値記録に適している。
【００７０】
また、誤り訂正の１ワードを１１ビットにしているので、従来技術の多値記録に好適な誤り訂正のデータ構成にできる。
【００７１】
さらに、２個あるいは４個のセクターデータに対して１個のアドレス情報を付加しているので、冗長度の低いデータ構成にできる。
【００７２】
そのうえ、積符号における内符号訂正のデータ系列単位に、アドレスデータを識別するための情報を付加しているので、セクターアドレスの読取り処理を容易にできる。
【００７３】
また、前述の記録がされた情報記録媒体である本実施の形態の光ディスクＤでは、ユーザーデータとセクターアドレスとを分離して配置してデータブロックを構成しているので、セクターアドレスの読取り処理が容易であり、積符号を使用しているので、エラーの発生傾向がランダム的である場合の光ディスクシステムに好適であり、誤り訂正の１ワードを、多値記録における２値データと多値データとの変換時の２値データのビット数に合わせているので、多値記録に適している。
【００７４】
更に、誤り訂正の１ワードを１１ビットにしているので、従来技術の多値記録に好適な誤り訂正のデータ構成にできる。また、２個あるいは４個のセクターデータに対して１個のアドレス情報を付加しているので、冗長度の低いデータ構成にできる。さらに、積符号における内符号訂正のデータ系列単位に、アドレスデータを識別するための情報を付加しているので、セクターアドレスの読取り処理を容易にできる。
【図面の簡単な説明】
【００７５】
【図１】情報記録媒体に記録する２ＫＢ（＝２０４８バイト）単位のユーザーデータを含むセクターデータ（ａ）と、セクター単位のアドレスを示すアドレス情報（ｂ）のデータ構成を示す説明図である。
【図２】２セクター分のセクターデータと、これに対応するアドレス情報のデータ構成を示す説明図である。
【図３】６４セクターのデータに対して、誤り訂正用のデータを付加したデータ構成を示す説明図である。
【図４】ＰＯデータ行をインターリーブした結果を示す説明図である。
【図５】インターリーブ後のデータの各行にアドレス情報を識別するためのデータを付加した結果を示す説明図である。
【図６】情報記録媒体に記録する２ＫＢ（＝２０４８バイト）単位のユーザーデータを含むセクターデータ（ａ）と、セクター単位のアドレスを示すアドレス情報（ｂ）のデータの種類とその量を示す説明図である。
【図７】セクターデータとアドレス情報のデータ構成を示す説明図である。
【図８】６４セクターのデータに対して、積符号を使用して誤り訂正用のデータを付加したデータ構成（１ＥＣＣブロック）を示す説明図である。
【図９】ＰＯデータ行をインターリーブした結果を示す説明図である。
【図１０】ＰＯデータ行をインターリーブした結果を示す説明図である。
【図１１】本発明の一実施の形態である情報記録装置の説明図である。
【符号の説明】
【００７６】
１  情報記録装置
Ｄ  情報記録媒体
【図１】
2005259305.tif 000003
【図２】
2005259305.tif 000004
【図３】
2005259305.tif 000005
【図４】
2005259305.tif 000006
【図５】
2005259305.tif 000007
【図６】
2005259305.tif 000008
【図７】
2005259305.tif 000009
【図８】
2005259305.tif 000010
【図９】
2005259305.tif 000011
【図１０】
2005259305.tif 000012
【図１１】
2005259305.tif 000013